(57)【要約】【課題】  レーザ光の球面収差の補正を行うエキスパンダレンズとその駆動機構のコンパクト化、部品点数の削減、組立て工程の容易化を図り、延いては小型で部品コストや組立てコストの低減を図れる光ピックアップ装置を提供する。【解決手段】  第１レンズ１５ａと第２レンズ１５ｂとからなるエキスパンダレンズ１５と、円筒形状に形成され上記第１レンズ１５ａを保持するとともに外周面にグリスが溜められる凹溝２１ｄを有する第１レンズホルダ２１と、円筒形状に形成され上記第２レンズ１５ｂを保持するとともに第１レンズホルダ２１に嵌合される第２レンズホルダ２２と、この第２レンズホルダ２２に固着された電磁コイル３１および該電磁コイル３１に磁場を与えるマグネット３２とからなる駆動手段とを備え、上記第２レンズホルダ２２が駆動手段の駆動力により第１レンズホルダ２１の外周面に沿ってスライド移動することで第１レンズ１５ａと第２レンズ１５ｂのレンズ間隔が変更されるように構成する。【選択図】        図３
2005216442.tif 000002
【特許請求の範囲】
【請求項１】
光ディスクにレーザ光を照射してデータの記録又は再生を行う光ピックアップ装置において、
第１レンズと第２レンズとを有しこれらのレンズ間隔を変更することでレーザ光の球面収差を補正可能なエキスパンダレンズと、
円筒形状に形成され上記第１レンズを保持するとともに内側の中空部分にレーザ光を通過させ且つ外周面に粘性体が溜められる凹溝を有する第１レンズホルダと、
円筒形状に形成され上記第２レンズを保持するとともに内側の中空部分にレーザ光を通過させ、且つ、円筒部分の内周面が上記第１レンズホルダの外周面と粘性体を介して重なるように上記第１レンズホルダに嵌合される第２レンズホルダと、
上記第２レンズホルダに固着された電磁コイルおよび該電磁コイルに磁場を与える磁石とからなる駆動手段とを備え、
上記第２レンズホルダが上記駆動手段の駆動力により上記第１レンズホルダの外周面に沿って光軸方向にスライド移動することで上記第１レンズと第２レンズのレンズ間隔が変更されるように構成されていることを特徴とする光ピックアップ装置。
【請求項２】
光ディスクにレーザ光を照射してデータの記録又は再生を行う光ピックアップ装置において、
第１レンズと第２レンズとを有しこれらのレンズ間隔を変更することでレーザ光の球面収差を補正可能なエキスパンダレンズと、
円筒形状に形成され上記第１レンズを保持するとともに内側の中空部分にレーザ光を通過させる第１レンズホルダと、
円筒形状に形成され上記第２レンズを保持するとともに内側の中空部分にレーザ光を通過させ、且つ、円筒部分の内周面が上記第１レンズホルダの外周面に被さるように上記第１レンズホルダに嵌合される第２レンズホルダと、
上記第１レンズホルダ又は第２レンズホルダに電磁力により光軸方向の力を及ぼす駆動手段とを備え、
上記駆動手段の駆動力により上記第１レンズホルダ又は第２レンズホルダが光軸方向にスライド移動して上記エキスパンダレンズのレンズ間隔が変更されるように構成されていることを特徴とする光ピックアップ装置。
【請求項３】
上記第１レンズホルダと上記第２レンズホルダとの接合面に粘性体が介在されていることを特徴とする請求項２記載の光ピックアップ装置。
【請求項４】
上記第１レンズホルダと上記第２レンズホルダとの接合面には、上記粘性体を溜める凹溝が設けられていることを特徴とする請求項３記載の光ピックアップ装置。
【請求項５】
上記第１レンズホルダは固定され上記第２レンズホルダは移動可能にされるとともに、
上記第２レンズホルダに付勢力を与える付勢手段を備え、
上記駆動手段が非作動状態のときに上記付勢手段により上記第２レンズホルダが初期位置に戻されるように構成されていることを特徴とする請求項２〜４の何れかに記載の光ピックアップ装置。
【請求項６】
少なくとも２つの層の記録面を有する光ディスクに対してデータの記録又は再生を行う請求項５記載の光ピックアップ装置であって、
上記第２レンズホルダの初期位置は上記２つの層の何れか一方の記録面に対応する位置に設定されていることを特徴とする光ピックアップ装置。
【請求項７】
少なくとも２つの層の記録面を有する光ディスクに対してデータの記録又は再生を行う請求項５記載の光ピックアップ装置であって、
上記第２レンズホルダの初期位置は上記２つの層の記録面に対応する位置を可動範囲に含み且つ該位置より外れた位置に設定されていることを特徴とする光ピックアップ装置。
【請求項８】
少なくとも２つの層の記録面を有する光ディスクに対してデータの記録又は再生を行う請求項５記載の光ピックアップ装置であって、
上記付勢手段は、上記第２レンズホルダを光軸方向に沿った第一の方向に付勢する第１バネと上記第一の方向とは逆の方向に付勢する第２バネとからなり、
上記第１バネと上記第２バネの力が釣り合う位置が上記第２レンズホルダの初期位置になるとともに、該初期位置が上記２つの層のうち一方の層の記録面に対応する位置と他方の層の記録面に対応する位置の中間の位置に設定されていることを特徴とする光ピックアップ装置。
【発明の詳細な説明】
【技術分野】
【０００１】
この発明は、光ディスクにレーザ光を照射してデータの記録又は再生を行う光ピックアップ装置に関し、特に複数層の記録面を有する光ディスクに対応する光ピックアップ装置に利用して有用な技術に関する。
【背景技術】
【０００２】
例えば２層の記録面を有する光ディスクに情報の記録又は再生を行う場合、第１層の記録面にアクセスする場合と第２層の記録面にアクセスする場合とで、レーザ光が通過する光ディスクの透明層の距離が異なり、それにより透明層の通過により及ぼされるレーザ光の球面収差の大きさが異なってくる。
【０００３】
そこで、上記のような光ディスクを対象とした光ピックアップ装置では、半導体レーザから対物レンズまでの光路上に、２個のレンズを並べてなるエキスパンダレンズを設け、これらのレンズ間隔を動的に変化させてビーム径を変化させることで球面収差の補正を行うようにしていた。
【０００４】
かかる光ピックアップ装置において、エキスパンダレンズのレンズ間隔を変化させる従来の構成としては、例えば１個のレンズを保持するレンズホルダを軸摺動可能な状態に支持するとともに、このレンズホルダにネジ穴を設けてスクリューシャフトと螺合させ、このスクリューシャフトをモータで回転させることで、レンズホルダを平行移動させてレンズ間隔を変化させるものがあった。
【０００５】
また、特許文献１や特許文献２に開示されるように、エキスパンダレンズを個々に保持するレンズホルダを板バネや渦巻きバネ等により可動状態に支持し、コイルと磁石を用いてレンズホルダに電磁力を作用させることで２個のレンズ間隔を変化させる構成が提案されている。
【特許文献１】特開２００２−３５２４４９号公報
【特許文献２】特開２００３−１６６６０号公報
【発明の開示】
【発明が解決しようとする課題】
【０００６】
しかしながら、上記従来のエキスパンダレンズの駆動方式では、光ピックアップの中でこれらの構成が非常に大きな体積を占めることになり、光ピックアップの体積が大きくなるという問題があった。
【０００７】
例えば、スクリューシャフトを用いる構成ではモータにより大きな体積が占められるし、板バネや渦巻きバネでレンズホルダを支持する構成では、板バネや渦巻きバネがレンズホルダの幅方向に張り出しその部分の空間により大きな体積が占められる。
【０００８】
また、上記従来のエキスパンダレンズの駆動機構では、部品点数が多く構造も複雑で組み立て工程が煩雑になるという問題もあった。
【０００９】
この発明の目的は、光ピックアップ装置において、エキスパンダレンズ駆動機構のコンパクト化、部品点数の削減、組立て工程の容易化を図り、延いては小型で部品コストおよび組立てコストの低減を図れる光ピックアップ装置を提供することにある。
【課題を解決するための手段】
【００１０】
本発明は、上記目的を達成するため、光ディスクにレーザ光を照射してデータの記録又は再生を行う光ピックアップ装置において、第１レンズと第２レンズとを有しこれらのレンズ間隔を変更することでレーザ光の球面収差を補正可能なエキスパンダレンズと、円筒形状に形成され上記第１レンズを保持するとともに内側の中空部分にレーザ光を通過させる第１レンズホルダと、円筒形状に形成され上記第２レンズを保持するとともに内側の中空部分にレーザ光を通過させ、且つ、円筒部分の内周面が上記第１レンズホルダの外周面に被さるように上記第１レンズホルダに嵌合される第２レンズホルダと、上記第１レンズホルダ又は第２レンズホルダに電磁力により光軸方向の力を及ぼす駆動手段とを備え、上記駆動手段の駆動力により上記第１レンズホルダ又は第２レンズホルダが光軸方向にスライド移動して上記エキスパンダレンズのレンズ間隔が変更されるように構成とした。
【００１１】
このような手段によれば、大きな体積を占めるモータや、レンズホルダを可動状態に支持する板バネや渦巻きバネといった構成が不要なので、非常にコンパクトにエキスパンダレンズの駆動機構を構成することが出来る。さらに、従来のスクリューシャフトを使用した構成や、レンズホルダを板バネや渦巻きバネで支持した構成と比較して、部品点数の削減、組立て工程の容易化も図ることが出来る。
【００１２】
望ましくは、上記第１レンズホルダと上記第２レンズホルダとの接合面には粘性体（例えばグリス）を介在させるようにすると良い。このような粘性体により駆動手段を動作させたときにレンズホルダのスライド移動が滑らかに行われるので、レンズ間隔の調整が容易となる。また、粘性体の抵抗により、駆動手段を非作動としたときに、レンズホルダをほぼその位置で停止させることが出来る。従って、レンズ間隔を一度調整した後に駆動手段を停止させた状態で光ピックアップを動作させることが出来る。
【００１３】
さらに望ましくは、上記第１レンズホルダと上記第２レンズホルダとの接合面には、上記粘性体を溜める凹溝を設けると良い。この凹溝により粘性体を留めて経年変化で粘性体の量が減少していくのを止めることが出来るとともに、凹溝の幅や深さや長さなどの設計寸法により、粘性体がレンズホルダに及ぼす粘性抵抗を制御することが出来る。
【００１４】
また、第２レンズホルダを移動可能な構成とした場合に、上記第２レンズホルダに付勢力を与える付勢手段（例えばスプリングバネなど）を備え、上記駆動手段が非作動状態のときに上記付勢手段により上記第２レンズホルダが初期位置に戻されるように構成しても良い。
【００１５】
このような構成によれば、レンズホルダの初期位置が定まっているので、毎回一定の動作でレンズ位置の調整処理を行うことができ、その制御が容易なものとなる。
【００１６】
また望ましくは、少なくとも２つの層（例えば第０層と第１層）の記録面を有する光ディスクに対してデータの記録又は再生を行う光ピックアップ装置において、上記第２レンズホルダの初期位置は上記２つの層の何れか一方の層の記録面に対応する位置に設定されていると良い。
【００１７】
このような構成によれば、光ピックアップのアセンブリ時にレンズホルダの組付け位置の精度、或はレンズホルダの寸法精度が要求されるものの、使用時には初期位置で対応した記録層を対象とする場合にレンズホルダの位置を容易に得ることが出来る。
【００１８】
また、少なくとも２つの層の記録面を有する光ディスクに対してデータの記録又は再生を行う光ピックアップ装置において、上記第２レンズホルダの初期位置は上記２つの層の記録面に対応する位置を可動範囲に含み且つ該位置より外れた位置に設定するようにしても良い。
【００１９】
このような構成によれば、光ピックアップのアセンブリ時に初期位置の設定マージンを大きくとることが出来るし、使用時においてレンズホルダの調整位置に組立て時には得られない高い精度が望まれるときにも十分対応することが出来る。
【００２０】
また、少なくとも２つの層の記録面を有する光ディスクに対してデータの記録又は再生を行う光ピックアップ装置において、上記付勢手段は、上記第２レンズホルダを光軸方向に沿った第一の方向に付勢する第１バネと上記第一の方向の逆方向に付勢する第２バネとからなり、上記第１バネと上記第２バネの力が釣り合う上記第２レンズホルダの初期位置が上記２つの層のうち一方の層の記録面に対応する位置と他方の層の記録面に対応する位置の中間の位置に設定しても良い。
【００２１】
このような構成により、レンズ間隔を２つの層の一方に対応するように合わせるときと他方の層に合わせるときとで、必要な駆動手段の駆動力の大きさを同程度とすることが出来る。従って、少なくともこの駆動力の範囲においてのみ駆動手段に必要な動作特性（例えば応答特性や安定性など）を確保すれば所望の調整動作が得られことになり、駆動手段（例えば駆動回路）の設計が容易になる。
【発明の効果】
【００２２】
以上説明したように、本発明に従うと、レーザ光の球面収差を補正するエキスパンダレンズの駆動機構のコンパクト化、部品点数の削減、組立てコストの低減を図り、延いては光ピックアップ装置全体のコンパクト化と製造コストの低減を図ることが出来る。
【発明を実施するための最良の形態】
【００２３】
以下、本発明の実施の形態を図面に基づいて説明する。
〔第１の実施の形態〕
図１は、本発明の実施の形態の光ピックアップ装置の光学系の構成を示す図である。
【００２４】
この実施の形態の光ピックアップ装置１は、第０層と第１層の２層の記録面を有する青紫レーザ用の光ディスクを対象として各記録面にレーザ光を照射してデータの再生と記録を行うものである。
【００２５】
この光ピックアップ装置１に搭載される光学系には、青紫レーザを出力する発光手段としての半導体レーザ１０と、出力されたレーザ光を平行光にするコリメータレンズ１１と、対物レンズ１７のサーボ制御のためにレーザ光からサブビームを生成する回折格子１２と、光ディスクに向かう進行波と光ディスクからの反射波とを分離する偏光ビームスプリッタ１３と、偏光ビームスプリッタ１３と協働して光アイソレータとして機能する１／４波長板１４と、ビーム径を変更してレーザ光の球面収差を補正するエキスパンダレンズ１５と、立上げミラー１６と、レーザ光を光ディスクＤ０の記録面に集光する対物レンズ１７と、ビームスプリッタ１３で分離された反射光を集光する検出レンズ７と、対物レンズ１７のサーボ制御用にレーザ光に非点収差を与える円筒レンズ等の光学素子８と、反射光を検出する光センサ９等が備わっている。
【００２６】
光ピックアップ装置１は、１ブロックの図示しないベースフレームに上記の光学系が組みつけられて構成される。各光学系のうち、コリメータレンズ１１やエキスパンダレンズ１５はレンズホルダ等に保持された状態でベースフレームに組み付けられ、半導体レーザ１０や光センサ９はこれらの素子が形成された基板ごとベースフレームに固着される。
【００２７】
また、このベースフレームには、対物レンズ１７をフォーカス方向やトラッキング方向等に微小移動させてサーボ制御を行う駆動装置１７ｋや、エキスパンダレンズ１５のうち凸レンズ１５ｂについてその位置を動的に変化させる駆動装置３０が設けられている。
【００２８】
エキスパンダレンズ１５は、例えば径の小さな凹レンズ１５ａと径の大きな凸レンズ１５ｂとからなり、これらのレンズ間隔を変化させることで入射光と出射光のビーム径を変化させ、それによりレーザ光の球面収差を補正することが可能になっている。
【００２９】
図２は、エキスパンダレンズ周辺の構成を中央で破断した状態を示す斜視図、  図３は、図２の機構のうち可動レンズに係る構成を中央で破断した状態を斜め上から眺めた斜視図である。
【００３０】
図２と図３において、１５ａは固定される凹レンズ、１５ｂは可動式にされる凸レンズ、２１は凹レンズ１５ａを保持する第１レンズホルダ、２２は凸レンズ１５ｂを保持する第２レンズホルダ、３１は第２レンズホルダ２２に固着される電磁コイル、３２は電磁コイル３１の可動範囲に磁界を及ぼすマグネットである。光ディスクに向かう進行波は凹レンズ１５ａから凸レンズ１５ｂへと進行するようになっている。
【００３１】
第１レンズホルダ２１は、円筒形状で内側の空洞部分にレーザ光を通過させるとともに、円筒部分の中心軸と凹レンズ１５ａの中心軸とが重なるようにその一端側（進行波の出射側）に凹レンズ１５ａを嵌め込んで保持している。
【００３２】
このレンズホルダ２１の一端側には、その内周部分に、円筒の肉厚を変えることで１段階内周径が大きくされてレンズが嵌め込まれるレンズ嵌合段２１ｍと、開口端で凹レンズ１５ａを挿入しやすくするためさらに１段階内周径が大きくされたレンズ挿入段２１ｎとが設けられている。また、このレンズホルダ２１の他端側（進行波の入射側）には、外側に張り出たフランジ２１ａが設けられている。このフランジ２１ａは、第２レンズホルダ２２の一端に当接してその可動範囲を制限する機能と、レンズホルダ２１を装置のベースフレームに固着させる機能とを担っている。
【００３３】
また、図３に示すように、このレンズホルダ２１の円筒部分の外周面には、所定の幅、深さ、長さに形成された複数の凹溝２１ｄが周方向にみて等間隔に設けられている。この凹溝２１ｄには粘性体としてのグリスが溜められるようになっている。
【００３４】
第２レンズホルダ２２は、円筒形状で内側の空洞部分にレーザ光を通過させるとともに、その一端側（進行波の出射側）に形成された枠部２２ａに円筒の中心軸と凸レンズ１５ｂの中心軸とが重なるように凸レンズ１５ｂを嵌め込んで保持するようになっている。このレンズホルダ２２の円筒部分の内周径は第１レンズホルダ２１の円筒部分の外周径よりも僅かなクリアランス程度大きく形成されており、第１レンズホルダ２１の外周面をガイド面として第２レンズホルダ２２が光軸方向にスライド可能な状態に第１レンズホルダ２１と第２レンズホルダ２２とが嵌合されている。
【００３５】
第２レンズホルダ２２の円筒部分には、２個のレンズ１５ａ，１５ｂに挟まれた空間の空気を出し入れする空気孔２２ｂが設けられている。また、レンズの縁枠の部分に空気孔２２ｂ１を設けても良い。
【００３６】
また、この第２レンズホルダ２２の外周部分には電磁コイル３１を固定するための固定用段部２２ｃが設けられ、この固定用段部２２ｃに電磁コイル３１が固着されている。
【００３７】
マグネット３２は、凸レンズ１５ｂの可動範囲より大きな幅を有し、電磁コイル３１に対向する位置に配置されている。なお、この実施の形態では、直方体形状の２個のマグネット３２を第２レンズホルダ２２の中心軸を挟んで対向するように配置しているが、３個や４個など複数のマグネットを電磁コイル３１の円周方向に均等に配置するようにしても良い。或は、電磁コイル３１を囲むように円筒形状のマグネットを配置するようにしても良い。
【００３８】
以上のように、この実施の形態の光ピックアップ装置１によれば、レーザ光の球面収差を補正するエキスパンダレンズ１５により、開口数の大きな対物レンズ１７を用いて複数層の記録面を有する光ディスクにデータの記録・再生を行う場合でも、各層の記録面に対応して電磁コイル３１に電流を流してエキスパンダレンズ１５のレンズ間隔を調整することで球面収差を補正して小さな光スポットを記録面に形成することが出来る。
【００３９】
さらに、エキスパンダレンズ１５の保持や駆動が、円筒形状でスライド移動可能な状態で嵌合された２個のレンズホルダ２１，２２と、第２のレンズホルダ２２に固着された電磁コイル３１およびそれに対向配置されたマグネット３２により行われるので、これらの構成を非常にコンパクトに構成でき、さらに、部品点数も少なく組立ても容易なものとすることが出来る。
【００４０】
また、第１レンズホルダ２１と第２レンズホルダ２２との間にグリスが塗布されているので、電磁コイル３１に電流を流したときに第２レンズホルダ２２が滑らかにスライドしてレンズ間隔の調整が容易なものとなる。また、電流を止めたときにはグリスが抵抗となって第２レンズホルダ２２の位置が保持されるので、レンズ間隔の調整後は電磁コイル３１の電流を停止したまま、光ピックアップ装置を動作させることが出来る。
【００４１】
なお、第１レンズホルダ２１と第２レンズホルダ２２間の抵抗は、グリスの粘度やグリス溜まりとなる凹溝２１ｄの深さ、幅、長さを適宜設計することにより調整可能であり、それにより、レンズ間隔調整時に第２レンズホルダ２２を滑らかにスライド移動させるとともに、レンズ間隔調整後に第２レンズホルダ２２を停止させるような最適な抵抗を得ることが出来る。
〔第２の実施の形態〕
図４は、第２の実施の形態のエキスパンダレンズの駆動機構を示す破断斜視図である。
【００４２】
この第２の実施の形態は、凸レンズ１５ｂを保持する第２レンズホルダ２２Ａの方を固定する一方、凹レンズ１５ａを保持する第１レンズホルダ２１Ａの方を可動式にしたものである。
【００４３】
しかるに、この実施の形態では、第２レンズホルダ２２Ａは装置のベースフレームに固着する一方、第１レンズホルダ２１Ａはフリーな状態とする。さらに、電磁コイル３１Ａは第１レンズホルダ２１Ａの後端側（進行波の入射側）に設けられた固定用段部２１ｇに固着され、マグネット３２Ａはこの電磁コイル３１Ａに対向する位置に配置されている。
〔第３の実施の形態〕
図５は、第３の実施の形態のエキスパンダレンズの駆動機構を示す破断斜視図である。
【００４４】
この実施の形態のエキスパンダレンズ１５の駆動機構は、図２の実施形態と同様に、円筒形状の第１レンズホルダ２１に凹レンズ１５ａを保持させて装置のベースフレームに固定する一方、この第１レンズホルダ２１にその外周面をガイド面として光軸方向にスライド可能な状態に円筒形状の第２レンズホルダ２２Ｂを嵌合させ、この第２レンズホルダに凸レンズ１５ｂを保持させる構造を有するが、さらにこのような構造に加えて、第２のレンズホルダ２２Ｂをレンズ間隔が狭まる方向に付勢する付勢手段としてのコイルバネ２４と、このコイルバネ２４の一端側を固定するバネ受け２５とを備えている。
【００４５】
第２のレンズホルダ２２Ｂには、その一端側（進行波の出射側）にコイルバネ２４を収容する円形の溝２２ｄが設けられ、バネ受け２５は装置のベースフレームに設けられる。
【００４６】
このような構成のエキスパンダレンズ１５の駆動機構によれぱ、電磁コイル３１への通電がない初期状態のときには、第２レンズホルダ２２Ｂがコイルバネ２４により押されて、その一端が第１レンズホルダ２１のフランジ２１ａに当接する位置に移動されて固定される。
【００４７】
そして、電磁コイル３１へ通電を行うことで、第２レンズホルダ２２Ｂがレンズ間隔を開く方向へスライド移動し、そして電磁コイル３１に発生される駆動力がコイルバネ２４の力とつり合ったところで第２レンズホルダ２２Ｂが停止するようになっている。
【００４８】
この実施の形態の光ピックアップ装置１によれば、エキスパンダレンズ１５の初期位置が定まっているので、毎回一定の動作でレンズ間隔の調整処理を行うことができ、その制御が容易なものとなる。
【００４９】
また、エキスパンダレンズ１５の初期状態でのレンズ間隔を光ディスクの第０層の記録面に合うように設定しておくことで、第０層へアクセスするときにそれに必要なレンズ間隔を容易に得ることが出来るとともに、第０層のアクセスするときには電磁コイル３１への通電が不要となる。
【００５０】
また、第０層へのアクセスを行う際にも、レンズ間隔の微妙な調整が必要な場合や、組付けマージンやレンズホルダの寸法マージンを大きくしたい場合には、初期状態でのレンズ間隔を第０層の記録面に合う長さよりやや短めに設定しておくことで、第０層へのアクセスの際にも第２のレンズホルダ２２Ｂを初期位置から少し動かしてレンズ間隔の調整を行うようにすることが出来る。
〔第４の実施の形態〕
図６は、第４の実施の形態のエキスパンダレンズの駆動機構を示す破断斜視図である。
【００５１】
この実施の形態のエキスパンダレンズ１５の駆動機構は、付勢手段としてのコイルバネ２４を第１レンズホルダ２１と第２レンズホルダ２２Ｃとの間に設け、第２のレンズホルダ２２Ｃをエキスパンダレンズ１５のレンズ間隔を離す方向に付勢するようにしたものである。
【００５２】
この実施の形態では、第２レンズホルダ２２Ｃの進行波の入射側にコイルバネ２４を収容する円筒状の収容溝２２ｈが設けられ、コイルバネ２４が収容される一方、収容溝２２ｈから飛び出したコイルバネ２４の一端が第１レンズホルダ２１のフランジ２１ａに当接されるようになっている。
【００５３】
また、第２レンズホルダ２２Ｃの一端側（進行波の出射側）には、ベースフレームの壁面５１が配置され、この壁面５１に第２レンズホルダ２２Ｃの一端が当接して固定された位置が初期位置となっている。
【００５４】
このような構成によれば、電磁コイル３１の通電を停止してレンズ間隔が広くなる初期位置を光ディスクの第１層の記録面に合うように設定することが出来る。従って、このように設定することで、第１層の記録面にデータの記録や再生を行うときにそれに必要なレンズ間隔を容易に得ることが出来るともに、第１層へのアクセスの際には電磁コイル３１への通電が不要となる。
〔第５の実施の形態〕
図７は、第５の実施の形態のエキスパンダレンズの駆動機構を示す破断斜視図である。
【００５５】
この実施の形態のエキスパンダレンズ１５の駆動機構は、第２レンズホルダ２２Ｄをレンズ間隔を広げる方向と狭める方向との２方向から付勢してその中間位置を初期位置とするものである。
【００５６】
この実施の形態では、第２レンズホルダ２２Ｄの一方の側に第１のコイルバネ２４ａを収容する円筒状の収容溝２２ｉが、他方の側に第２のコイルバネ２４ｂを収容する円筒状の収容溝２２ｊがそれぞれ設けら、また、第２レンズホルダ２２Ｄの先には第２コイルバネ２４ｂの他端側を保持するバネ受け２５がベースフレームに設けられている。
【００５７】
そして、第１のコイルバネ２４ａが上記収容溝２２ｉに収容されてそこから飛び出した一端が第１レンズホルダ２１のフランジ２１ａに当接されることで、第２レンズホルダ２２Ｄが進行波の方向に付勢されるようになっている。
【００５８】
また、第２のコイルバネ２４ｂが反対側の収容溝２２ｊに収容されてそこから飛び出した一端がバネ受け２５に当接されることで、第２レンズホルダ２２Ｄが進行波の逆の方向に付勢されるようになっている。
【００５９】
従って、電磁コイル３１への通電がないときには、２個のコイルバネ２４ａ，２４ｂの付勢力がつり合った位置で第２レンズホルダ２２Ｄが停止され、このときの停止位置が、エキスパンダレンズ１５のレンズ間隔が光ディスクの第０層に対応する長さと第１層に対応する長さとの中間になるように、コイルバネ２４ａ，２４ｂの付勢力が設定されている。
【００６０】
このような構成において、電磁コイル３１に電流を流すことで、第２レンズホルダ２２Ｄに電磁力が働いてレンズ間隔を狭めて光ディスクの第０層の記録面に合わせたり、逆向きの電流を流すことでレンズ間隔を広げて光ディスクの第１層の記録面に合わせたりすることが出来る。
【００６１】
このような構成によれば、第２レンズホルダ２２Ｄの初期位置が一定なので、毎回同じ動作でレンズ位置の調整処理を行うことができ、その制御が容易なものとなる。
【００６２】
また、初期位置は光ディスクの第０層に合う位置と第１層に合う位置との中間に設定されているので、第０層と第１層に合わせるときに電磁コイル３１に流す電流は向きだけ逆で大きさは同程度のものとなる。電磁コイル３１の駆動回路は、レンズ間隔を光ディスクの第０層と第１層とに合う出力電流の範囲で応答特性や安定性など所定の動作特性を備えている必要があるが、この動作特性を満たさなければならない出力電流の範囲が小さくて済むので、駆動回路の設計も容易なものとなる。
【００６３】
なお、本発明は、上記実施の形態に限られるものではなく、様々な変更が可能である。例えば、第１の実施の形態に示したガイド面のグリス溜まりを無くしたり、或はグリス自体を塗布しないようにしても良い。また、レンズホルダのレンズを保持する部分の形状やコイルバネや電磁コイルを保持する部分の形状など、実施の形態で具体的に示した細部の構造は発明の趣旨を逸脱しない範囲で適宜変更可能である。
【産業上の利用可能性】
【００６４】
本発明は、青紫レーザ用の光ディスクやＤＶＤ（デジタル多用途ディスク）などの光ディスクにデータの記録再生を行う光ピックアップ装置に利用可能である。
【図面の簡単な説明】
【００６５】
【図１】本発明の実施の形態の光ピックアップ装置の光学系の構成を示す図である。
【図２】エキスパンダレンズとその駆動機構とを中央で破断した状態を示す斜視図である。
【図３】図２の機構のうち可動レンズに係る構成を中央で破断した状態を斜め上から眺めた斜視図である。
【図４】第２の実施の形態のエキスパンダレンズの駆動機構を示す破断斜視図である。
【図５】第３の実施の形態のエキスパンダレンズの駆動機構を示す破断斜視図である。
【図６】第４の実施の形態のエキスパンダレンズの駆動機構を示す破断斜視図である。
【図７】第５の実施の形態のエキスパンダレンズの駆動機構を示す破断斜視図である。
【符号の説明】
【００６６】
１      光ピックアップ装置
１５    エキスパンダレンズ
１５ａ  凹レンズ
１５ｂ  凸レンズ
２１，２１Ａ    第１レンズホルダ
２２〜２２Ｄ    第２レンズホルダ
３０    駆動装置（駆動手段）
３１    電磁コイル
３２    マグネット
２４，２４ａ，２４ｂ  コイルバネ（付勢手段）
【図１】
2005216442.tif 000003
【図２】
2005216442.tif 000004
【図３】
2005216442.tif 000005
【図４】
2005216442.tif 000006
【図５】
2005216442.tif 000007
【図６】
2005216442.tif 000008
【図７】
2005216442.tif 000009